(57)【要約】【課題】天井に近い配管位置であっても簡単な作業で配管ができ、バンドの締め付け機構としてのボルト・ナットが脱落することのなく、配管の側方や下方に空間的余裕が少ない施工現場であっても配管可能であり、且つ作業時の安全性も考慮された配管用吊りバンドを提供する。【解決手段】天井スラブ等に間接的に又は直接的にバンド取付部が固着される配管用吊りバンドにおいて、バンドが弾性を有する材料によって形成されており、バンドの下半部に、バンドの両端を折り曲げて形成した折曲部が設けられており、この折曲部の夫々に透孔が設けられており、この透孔に、バンドの締め付け機構が設けられており、このバンドの締め付け機構を作用させないときは、前記取付部を基準に、バンドが開放されたり、閉鎖されたりすることができる構成であることを特徴とする配管用吊りバンドである。【選択図】図２
2004068902.tif 000002
【特許請求の範囲】
【請求項１】
天井スラブ等に固定されているアンカーに、吊りボルトを介在させて間接的に、又は吊りボルトを介在させることなく直接的に、バンド取付部が固着される配管用吊りバンドにおいて、
バンドが弾性を有する材料によって形成されており、
バンドの下半部に、バンドの両端を折り曲げて形成した折曲部が設けられており、
この折曲部の夫々に透孔が設けられており、
この透孔に、バンドの締め付け機構が設けられており、
このバンドの締め付け機構を作用させないときは、前記取付部を基準に、バンドが開放されたり、閉鎖されたりすることができる構成であることを特徴とする配管用吊りバンド。
【請求項２】
取付部が、バンドの略中央部を上方に突出させた突出部によって形成されており、
この突出部から成る取付部に、アンカーに螺合させるボルトを挿通するための透孔が設けてあることを特徴とする請求項１に記載の配管用吊りバンド。
【請求項３】
バンドが、左・右に分離された２部材から形成されており、
取付部が、左・右に分離されたバンドの上端を折り曲げた折曲部によって形成されており、
この折曲部から成る取付部の各々に、アンカーから垂下された吊りボルトに螺合されターンバックルに固着させるボルトを挿通するための透孔が設けてあることを特徴とする請求項１に記載の配管用吊りバンド。
【請求項４】
天井スラブ等に固定されているアンカーにボルトによって取付部が固定される型式の配管用吊りバンドにおいて、帯状のバンドを環状に形成すると共に、バンドの両端に折曲部を形成し、夫々の折曲部に透孔を設け、またバンドの略中央部を上方に突出させた突出部によって取付部が形成されており、この取付部に透孔を設け、更に前記折曲部にバンドの締め付け機構を設け、前記突出部から成る取付部の透孔を挿通させたボルトによって、天井スラブ等に固定されているアンカーに固定され、このボルトによって止着された取付部を基準にバンドが開放されたり、閉鎖されたりすることができる構成であることを特徴とする配管用吊りバンド。
【請求項５】
天井スラブ等に上端が固定される吊りボルトの下端側に取り付けられるターンバックルの脚部にボルト及びナットによって取付部が固定される型式の配管用吊りバンドにおいて、左・右一対の帯状のバンドを環状に形成する共に、左・右夫々のバンドの上端を折り曲げることによって折曲部を形成し、夫々の折曲部に透孔を設けて前記ターンバックルの脚部への取付部と成し、左・右夫々のバンドの下端部に折曲部を形成し、夫々の折曲部に透孔を設け、更に前記折曲部にバンドの締め付け機構を設け、バンドが開放されたり、閉鎖されたりすることができる構成であることを特徴とする配管用吊りバンド。
【請求項６】
前記バンドの折曲部及び締め付け機構が、前記環状の下端部に設けられていることを特徴とする請求項１〜５のいずれかに記載の配管用吊りバンド。
【請求項７】
前記バンドの折曲部及び締め付け機構が、前記環状の左側端部又は右側端部に設けられていることを特徴とする請求項１〜５のいずれかに記載の配管用吊りバンド。
【請求項８】
前記バンドの折曲部及び締め付け機構が、前記環状の下端部と左側端部との中間又は右側端部との中間に設けられており、且つ前記環状の下端部に接する水平線と環状の左側端部又は右側端部に接する垂直線とバンドの環状部とによって形成される空間部の内側に設けられていることを特徴とする請求項１〜５のいずれかに記載の配管用吊りバンド。
【請求項９】
バンドの締め付け機構が、ボルトとナットから成ることを特徴とする請求項１〜８のいずれかに記載の配管用吊りバンド。
【請求項１０】
ボルトがバンドの折曲部から脱落するのを防止する機構を備えていることを特徴とする請求項９に記載の配管用吊りバンド。
【請求項１１】
ナットがバンドの折曲部から脱落するのを防止する機構を備えていることを特徴とする請求項９に記載の配管用吊りバンド。
【請求項１２】
バンドの一方の折曲部にナットを緩やかなカシメ止め・鍔部等により回動自在に固定すると共に、他方の折曲部にボルトをボルト固定手段により固いカシメ止め・溶接・接着等により回動不能に固定したことを特徴とする請求項９に記載の配管用吊りバンド。
【請求項１３】
バンドの一方の折曲部にナットを固いカシメ止め・溶接・接着等により固定すると共に、他方の折曲部にボルトをボルト固定手段により回動自在に固定したことを特徴とする請求項９に記載の配管用吊りバンド。
【発明の詳細な説明】
【０００１】
【発明の属する技術分野】
この発明は、水道管、ガス管、冷・暖房管などの各種配管を天井などから吊り下げるのに利用される配管用吊りバンドに関する。
【０００２】
【従来技術】
従来広く利用されている一般的な配管用吊りバンドを図１１に示す。
【０００３】
図１１に示すものは、配管８を天井から吊り下げて支持するタイプの配管支持具である。このタイプでは、天井に固定されたアンカーから垂下された吊りボルト１に、ナット２によって高さ調整され、ターンバックル３が取り付けられており、この吊り下げ固定されたターンバックル３の脚部３Ａ・３Ｂに、配管を抱持したバンドが固定される。即ち、ヒンジ機構４によって開閉自在に構成されている左・右に分離されたバンドの両端部をボルト６・ナット７により固定することで、配管８が支持される。実際の作業は、先ず、吊りボルト１が天井のアンカーに取り付けられ、次いで、このアンカーに、配管が配管支持具を利用して取り付けられる。
【０００４】
配管の取付に際しては、ナット７を緩めてボルト６から取り外し、一方の吊りバンド５Ｂをヒンジ機構４により一点鎖線で示すように開放させた後、配管８が、他方の吊りバンド５Ａの内側に配設され、その後、外したバンド５Ｂを復帰させ、このバンド５Ｂの端部を、他方のバンド５Ａの端部に、ボルト６・ナット７で締め付け固定する作業が行われる。
【０００５】
配管８を抱持する際は、バンド５Ｂは既にボルト６・ナット７から開放された、仮想線で示す状態にあるので、配管８を吊りバンド５Ａ側に抱持させつつ、仮想線で示す状態から実線で示す状態まで回動させて、吊りバンド５Ｂの端部の円孔をボルト６の先端に挿入させて、次いでナット７をボルト６の先端に取り付けて締め付けを行うことになる。
【０００６】
一方、配管の位置が天井から近接している場合には、図１１に示したようなターンバックル３を持つタイプの配管支持具を利用することができない。即ち、天井の下と配管との間の僅かな間隙の中で、ボルト６とナット７との締め付け作業を行うには非常な困難性がある。
【０００７】
上記を解決するための技術として、半割環状の吊りバンド５Ａ・５Ｂの一方の側部中央に吊りボルト１への取付部を設ける構成の配管支持具が、第３０５８２９６号登録実用新案公報、特開平１０−２３８６６０号、同１１−１８２７４３号、特表２０００−５１３０８４号公報等に記載されている。
【０００８】
上記した第３０５８２９６号登録実用新案公報に示されている配管支持具を図１２に示す。この配管支持具は、半割環状の吊りバンド５Ａと５Ｂとをヒンジ機構４で一体的に連結し、一方の吊りバンド５Ａの側部中央に吊りボルト１への取付部を設けているので、図１１に示したようなターンバックルを介さず、直接的に天井に固定されているアンカー（植え込みナットなど）に取り付けることができる構造である。
【０００９】
上記の第３０５８２９６号登録実用新案公報に示されている配管支持具では、吊りバンド５Ａと５Ｂの締め付けが、配管８の横手で行われるので、配管８の横手方向に作業者の手を入れるだけの広さがあるものの、ボルト６とナット７との締め付け作業が困難である。即ち、ボルト６とナット７とが、吊りバンド５Ａ・５Ｂと分離独立した要素であるので、配管を抱持させようとナット７を外してしまうと、作業時の揺れなどでしばしばボルト６が脱落することがある。また、作業者が外したナット７を落としてしまうこともある。
【００１０】
本発明は、上記に鑑みて成されたものであり、天井に近い配管位置であっても、簡単な作業で配管ができる配管用吊りバンドを提供することを第１の目的とする。本発明の第２の目的は、バンドの締め付け機構としてのボルト・ナットが脱落することのない配管用吊りバンドを提供することにある。
【００１１】
本発明者は、かかる目的を解決するための配管用吊りバンドについて研究を続けたところ、バンドの締め付け機構が下方に突出していると、配管部位において下方に空間的余裕が少ない場合等に該突出部分が邪魔になったり、或いは作業時に該突出部分に頭をぶつけたりする等の危険を伴う場合のあることが判明した。特に、天井が低い場合や配管位置が低い場合等に、配管の下方で作業を行ったり或いは配管下を通る際に頭や肩等が接触する恐れがあることが判明した。
【００１２】
そこで本発明者は、前述の第３０５８２９６号登録実用新案公報に示されるように、バンドの締め付け機構を下方から側部中央に位置させることにより、下方に突出しない構成（図１２参照）とすることを考えた。しかし、この場合、他の配管や配線と並設させる必要があるときにこの突出部分が邪魔になったり、或いは配管が壁に接するような箇所に配設する必要があるときに突出部分が邪魔になるといった問題のあることが判明した。
【００１３】
本発明の第３の目的は、配管の側方や下方に空間的余裕が少ない施工現場であっても配管可能であり、且つ作業時の安全性も考慮された配管用吊りバンドを提供することにある。
【００１４】
【課題を解決するための手段】
本発明の上記課題は下記構成によって達成される。
【００１５】
１．天井スラブ等に固定されているアンカーに、吊りボルトを介在させて間接的に、又は吊りボルトを介在させることなく直接的に、バンド取付部が固着される配管用吊りバンドにおいて、
バンドが弾性を有する材料によって形成されており、
バンドの下半部に、バンドの両端を折り曲げて形成した折曲部が設けられており、
この折曲部の夫々に透孔が設けられており、
この透孔に、バンドの締め付け機構が設けられており、
このバンドの締め付け機構を作用させないときは、前記取付部を基準に、バンドが開放されたり、閉鎖されたりすることができる構成であることを特徴とする配管用吊りバンド。
【００１６】
２．取付部が、バンドの略中央部を上方に突出させた突出部によって形成されており、
この突出部から成る取付部に、アンカーに螺合させるボルトを挿通するための透孔が設けてあることを特徴とする上記１に記載の配管用吊りバンド。
【００１７】
３．バンドが、左・右に分離された２部材から形成されており、
取付部が、左・右に分離されたバンドの上端を折り曲げた折曲部によって形成されており、
この折曲部から成る取付部の各々に、アンカーから垂下された吊りボルトに螺合されターンバックルに固着させるボルトを挿通するための透孔が設けてあることを特徴とする上記１に記載の配管用吊りバンド。
【００１８】
４．天井スラブ等に固定されているアンカーにボルトによって取付部が固定される型式の配管用吊りバンドにおいて、帯状のバンドを環状に形成すると共に、バンドの両端に折曲部を形成し、夫々の折曲部に透孔を設け、またバンドの略中央部を上方に突出させた突出部によって取付部が形成されており、この取付部に透孔を設け、更に前記折曲部にバンドの締め付け機構を設け、前記突出部から成る取付部の透孔を挿通させたボルトによって、天井スラブ等に固定されているアンカーに固定され、このボルトによって止着された取付部を基準にバンドが開放されたり、閉鎖されたりすることができる構成であることを特徴とする配管用吊りバンド。
【００１９】
５．天井スラブ等に上端が固定される吊りボルトの下端側に取り付けられるターンバックルの脚部にボルト及びナットによって取付部が固定される型式の配管用吊りバンドにおいて、左・右一対の帯状のバンドを環状に形成する共に、左・右夫々のバンドの上端を折り曲げることによって折曲部を形成し、夫々の折曲部に透孔を設けて前記ターンバックルの脚部への取付部と成し、左・右夫々のバンドの下端部に折曲部を形成し、夫々の折曲部に透孔を設け、更に前記折曲部にバンドの締め付け機構を設け、バンドが開放されたり、閉鎖されたりすることができる構成であることを特徴とする配管用吊りバンド。
【００２０】
６．前記バンドの折曲部及び締め付け機構が、前記環状の下端部に設けられていることを特徴とする上記１〜５のいずれかに記載の配管用吊りバンド。
【００２１】
７．前記バンドの折曲部及び締め付け機構が、前記環状の左側端部又は右側端部に設けられていることを特徴とする上記１〜５のいずれかに記載の配管用吊りバンド。
【００２２】
８．前記バンドの折曲部及び締め付け機構が、前記環状の下端部と左側端部との中間又は右側端部との中間に設けられており、且つ前記環状の下端部に接する水平線と環状の左側端部又は右側端部に接する垂直線とバンドの環状部とによって形成される空間部の内側に設けられていることを特徴とする上記１〜５のいずれかに記載の配管用吊りバンド。
【００２３】
９．バンドの締め付け機構が、ボルトとナットから成ることを特徴とする上記１〜８のいずれかに記載の配管用吊りバンド。
【００２４】
１０．ボルトがバンドの折曲部から脱落するのを防止する機構を備えていることを特徴とする上記９に記載の配管用吊りバンド。
【００２５】
１１．ナットがバンドの折曲部から脱落するのを防止する機構を備えていることを特徴とする上記９に記載の配管用吊りバンド。
【００２６】
１２．バンドの一方の折曲部にナットを緩やかなカシメ止め・鍔部等により回動自在に固定すると共に、他方の折曲部にボルトをボルト固定手段により固いカシメ止め・溶接・接着等により回動不能に固定したことを特徴とする上記９に記載の配管用吊りバンド。
【００２７】
１３．バンドの一方の折曲部にナットを固いカシメ止め・溶接・接着等により固定すると共に、他方の折曲部にボルトをボルト固定手段により回動自在に固定したことを特徴とする上記９に記載の配管用吊りバンド。
【００２８】
【発明の実施の形態】
本発明の詳細について添付図面に基き説明する。
【００２９】
先ず、図１〜図４に示す第１実施例について説明する。
【００３０】
この第１実施例は、ステンレス等の薄板状金属や軟質合成樹脂のような弾性を有する材料によって帯状のバンド１０を環状に形成し、バンド１０の頂部に、天井に設けられたアンカー２１に螺合するためのボルトを挿入するための透孔１１を有する取付部１２を用意する。そして、バンド１０の開放端部に折曲部１３・１３を設けて夫々にボルト１４を挿入するための透孔を設け、ボルト１４、ナット１５を配設する構成である。このボルト１４とナット１５とがバンド１０の締め付け機構を成すものであり、この締め付け機構と折曲部１３は環状バンド１０の下端部に設けられている。
【００３１】
バンド１０は、好ましくはＳＵＳ４３０などのステンレス鋼を利用して形成する。バンド１０は、全体として弾性を有するが、配管２０を取り込む際には、大きく開かなければならないので、取付部１２の端部の屈曲部が曲げ支点Ｓ１・Ｓ２となる。
【００３２】
実際の配管に際しては、図２に示すように、先ず、取付部１２の中央に用意されている透孔１１にボルト２０を挿入して、このボルト２０を天井に取り付けられているアンカー２１に螺合する。尚、取付部１２を天井側に固定する手段は、図示の如きアンカー・ボルトによる構成に限定されない。
【００３３】
配管２２を支持するには、先ず、ナット１５を緩めてボルト１４から取り外し、バンド１０の下端部を開放する。次いで、バンド１０の下端部を大きく開き（図２−Ａ参照）、この大きく開いた開放部から配管２２をバンド１０の内部空間に押し込み、バンドの弾性を利用してバンド１０を環状になるように復帰させ、ボルト１４・ナット１５の締め付けを行う（図２−Ｂ参照）。
【００３４】
上述したように、図１１及び図１２に示される従来タイプの配管用バンドでは、ボルト１４・ナット１５がバンド１０と分離独立した要素となっているので、ナット１５をボルト１４から外してしまうと、ボルト１４もバンド１０の端部の折曲部１３の透孔から脱落することがある。従ってこのような構成では、ナット１５をボルト１４から外し、バンド１０を開放させて配管２２を配設し、再びナット１５をボルト１４に係合して締め付ける作業をボルト・ナットが脱落しないように配慮して行う構成が望まれる。
【００３５】
そこで本発明では、上記した使い勝手の悪さを解消するために、バンドの締め付け機構に関連して、ボルト及び／又はナットの脱落防止機構が採用されている。
【００３６】
脱落防止機構の例としては、ボルトのみを脱落防止とした構成（請求項１０）、ナットのみを脱落防止とした構成（請求項１１）、ボルトとナットを共に脱落防止とした構成であって且つナットを揺るやかなカシメ止め・鍔部等により回動自在に固定すると共にボルトをボルト固定手段により固いカシメ止め・溶接・接着等により回動不能に固定した構成（請求項１２）、ボルトとナットを共に脱落防止とした構成であって且つナットを固いカシメ止め・溶接・接着等により固定すると共にボルトをボルト固定手段により回動自在に固定した構成（請求項１３）などが挙げられる。
【００３７】
図３は、ボルトを脱落防止機構とした５つの例を示す。即ち、図３は、ボルト１４をバンド１０の一方の折曲部１３に固定し、ナット１５を外しても脱落しないようにした構成である。具体的に説明すると、ボルト１４の頭部をバンド１０の折曲部１３にカシメ止めする態様（図３−Ａ参照、この態様は、ボルト１４が空回りしないよう強くカシメ止めする態様を含む。）、バンド１０の折曲部１３をボルト１４の頭部とボルト１４に係合するクリップなどの止め具により鋏込んでナット１５を外したボルト１４が脱落しないようにする態様（図３−Ｂ参照）、ボルト１４をバンドの折曲部に溶接又は接着する態様（図３−Ｃ参照）、ボルト１４の頭部の方をバンド１０の折曲部１３に溶接又は接着する態様（図３−Ｄ参照）、本来のナット１５とは別に薄い肉厚のナットでボルト１４を固定する態様（図３−Ｅ参照）、などが挙げられる。これらの態様のうち、図３−Ａに示すカシメ止めによる固定、図３−Ｂに示すクリップなどの止め具による固定、及び図３−Ｅに示す薄ナットによる固定の２態様の場合、固く固定すれば回動不能となり、緩やかな固定とすれば回動自在となるので、請求項１２及び請求項１３のいずれにも対応することができる。
【００３８】
図４は、ナットを脱落防止機構とした２つの例を示す。図４−Ａはナット１５を折曲部１３に緩やかなカシメ止めとして回動自在に固定する態様であり、図４−Ｂはナット１５を折曲部１３に固いカシメ止めとして回動不能に固定する態様である。ナット１５の固定はカシメ止めに限らず、前述したように鍔部を設けたり、溶接・接着してもよいし、或いはその他の公知の手段を採用してもよい。
【００３９】
以上説明した本発明に係る配管用吊りバンドの第１実施例では、弾性を有する材料によって一枚の帯状の部材を環状に形成してバンド１０と成し、頂部にボルトなどを挿入するための透孔１１を有する取付部１２を用意した構成を有しているが、本発明はこれに限らず、上記取付部１２に替え、天井等のアンカーから垂設された吊りボルトに取り付けられたターンバックルに、ボルト・ナットにより吊り下げ固定するような取付機構を採ることもできる（請求項５）。この態様の場合、弾性材料によって、左・右一対の帯状のバンド１０を環状に形成し、左・右一対のバンドの上端を折り曲げると共に透孔を設けてターンバックルの脚部への取付部と成し、夫々のバンドの下端部に折曲部１３・１３を形成した構成となる。ターンバックル及びバンド１０の取付部については、後述する図１０に示すターンバックル２４及びバンド１０の取付部１７と同様である。
【００４０】
次に、請求項７に示す第２実施例について図５に基き説明する。
【００４１】
図５に示す第２実施例は、上記説明した第１実施例では環状バンド１０の下端部に設けられていた締め付け機構を、環状のバンド１０の左側端部に設けるものである。尚、この第２実施例の場合、締め付け機構の位置は図５に示すバンド１０の左側端部に限らず、右側端部であってもよい。配管位置や並設する他の配管・配線類の状況等に応じて適宜決めることができる。
【００４２】
この第２実施例においても前記第１実施例と同様の脱落防止機構（請求項９〜１３、図３及び４）を採用することができる。更に取付部１２についても前記第１実施例と同様に後述する図１０に示すターンバックル２４及び取付部１７を構成することができる。
【００４３】
次に、請求項８に示す第３実施例について図６〜図９に基き説明する。
【００４４】
図６は本発明に係る配管用吊りバンドの第３実施例を示す５面図（正面・左右側面・平面・底面の各図）、図７はバンドの締め付け機構を示す拡大断面図、図８は配管の取付状態を示す正面図（一部分は断面図）、図９は施工完成状態を示す正面図（一部分は断面図）である。
【００４５】
この第３実施例は、ボルト１４とナット１５とからなる締め付け機構は折曲部１３からの脱落防止構成を有している。即ち、図７に示すように、ボルト１４に取り付けたボルト脱落防止用クリップ１６と、ナット１５をカシメ止めした構成を採用している。尚、この第３実施例においても前述した第１実施例及び第２実施例と同様の構成、即ち、通常のボルト・ナットによる締め付け、脱落防止機構（請求項９〜１３、図３及び４）を備えた締め付け部を採用することができる。
【００４６】
図６に示すように、この第３実施例の特徴は、折曲部１３及び締め付け機構（ボルト１４とナット１５とから成る。）が、環状のバンド１０の下端部と左側端部（又は右側端部）との中間に設けられており、且つ前記環状のバンド１０の下端部に接する水平線Ｘと環状のバンド１０の左側端部に接する垂直線Ｙ（又は右側端部に接する垂直線Ｙ’）とバンド１０の環状部とによって形成される空間部の内側に設けられていることである。
【００４７】
具体的な位置としては、取付部１２の中央を０°・３６０°としたとき、９０°〜１８０°（又は１８０°〜２７０°）の範囲内であって且つバンド１０の外周から突出する折曲部１３及びボルト１４・ナット１５の大きさが水平線Ｘと垂直線Ｙ（又は垂直線Ｙ’）の内側に納まる位置に前記折曲部１３及びボルト１４・ナット１５が設けられるものである。特に、好ましい位置としては、１３５°の位置（又は２２５°の位置）である。
【００４８】
以上のように折曲部１３及び締め付け機構（ボルト１４とナット１５とから成る。）を、バンド１０の下端部に接する水平線Ｘと環状の左側端部に接する垂直線Ｙ（又は右側端部に接する垂直線Ｙ’）とバンド１０の環状部とによって形成される空間部の内側に設けた構成によって、バンド１０の側方や下方への突出部分が無くなるので、配管部位において側方や下方に空間的余裕が少ない場合であっても配管可能であり、しかも配管下方や側方での作業時に突出部分に頭や肩をぶつけたりする等の事故も防止できる。
【００４９】
実際の配管に際しては、図８に示すように、先ず、取付部１２の中央に用意されている透孔１１にボルト２０を挿入して、このボルト２０を天井に取り付けられているアンカー２１に結合する。尚、取付部１２を天井側に固定する手段は、図示の如きアンカー・ボルトによる構成に限定されない。
【００５０】
配管２２を取り付けるには、先ず、ボルト１４を緩めてナット１５から取り外し、バンド１０の端部を開放する。次いで、バンド１０の端部を大きく開く（図８参照）。このときバンド１０は全体として弾性を有するが、配管２０を取り込む際には、大きく開かなければならないので、取付部１２の端部の屈曲部が曲げ支点Ｓ１・Ｓ２となると共にバンド１０全体が撓みながら拡開することになる。そして、この大きく開かれた開放部から配管２２をバンド１０の内部空間に押し込み、バンドの弾性を利用してバンド１０を環状になるように復帰させ、ボルト１４・ナット１５の締め付けを行うことで図９に示す施工完成状態となる。
【００５１】
以上説明した本発明に係る配管用吊りバンドの第３実施例では、弾性材料によって、一枚の帯状の部材を環状にしてバンド１０を形成し、頂部にボルトなどを挿入するための透孔１１を有する取付部１２を用意した構成を有しているが、本発明はこれに限らず、図１０に示すように、取付部１２に替え、天井のアンカーから垂設された吊りボルト２３に取り付けられたターンバックル２４に、ボルト２５・ナット２６により吊り下げ固定するような取付構成を採ることもできる（請求項５）。この態様の場合、弾性材料によって、左・右一対の帯状のバンド１０・１０を環状に形成し、左・右のバンド１０・１０の上端を折り曲げると共に透孔を設けてターンバックル２４の脚部への取付部１７・１７と成し、夫々のバンド１０・１０の左又は右斜め下に位置する端部に折曲部１３・１３を形成した構成となる。
【００５２】
【発明の効果】
本発明に係る第１及び第２の配管用吊りバンドによれば、天井に近接した配管位置であっても、簡単な作業で配管を行うことができ、ナットを外してもボルトが脱落することがないので使い勝手がよく、また、弾性材料によって、帯状のバンドを環状に成形して、端部に折曲部を、中央部に取付部を設けるだけでよいので、二つのバンドをヒンジ機構などで連結する構造（図１１、図１２参照）と比較し、製造が簡単であり、安価に製造できるメリットがある。
【００５３】
本発明の第３実施例によれば、折曲部及び締め付け機構を、バンドの下端部に接する水平線と環状の左側端部又は右側端部に接する垂直線より内側に設けた構成としたので、バンドの側方や下方への突出部分が無くなり、配管部位において側方や下方に空間的余裕が少ない場合であっても配管可能であり、しかも配管下方や側方での作業時に突出部分に頭や肩などをぶつけたりする等の事故も防止できる。従って、配管の側方や下方に空間的余裕が少ない場合であっても配管可能であり、且つ作業時の安全性も考慮された配管用吊りバンドを提供することができる。
【図面の簡単な説明】
【図１】本発明に係る配管用吊りバンドの第１実施例を示す５面図（正面・左右側面・平面・底面の各図）
【図２】上記第１実施例の使用状態を示す一部断面図
【図３】ボルトの脱落防止機構の５つの例を示す部分正面図
【図４】ナットの脱落防止機構の２つの例を示す要部断面図
【図５】本発明に係る配管用吊りバンドの第２実施例を示す正面図
【図６】本発明に係る配管用吊りバンドの第３実施例を示す５面図面図（正面・左右側面・平面・底面の各図）
【図７】上記第３実施例に示される配管吊りバンドによるバンドの締め付け機構を示す拡大断面図
【図８】上記第３実施例に示される配管吊りバンドによる配管の使用状態を示す正面図（一部分は断面図）
【図９】上記第３実施例に示される配管吊りバンドによる配管支持状態（施工完成）を示す正面図（一部分は断面図）
【図１０】本発明に係る配管用吊りバンドの第３実施例の他の態様の使用状態（施工完成）を示す正面図（一部分は断面図）
【図１１】従来製品の１例を示す正面図
【図１２】従来製品の他例を示す正面図（一部分は断面図）
【符号の説明】
１０　バンド
１１　透孔
１２　取付部
１３　折曲部
１４　ボルト
１５　ナット
１６　ボルト脱落防止用クリップ
１７　取付部
２０　ボルト
２１　アンカー
２２　配管
２３　吊りボルト
２４　ターンバックル
２５　ボルト
２６　ナット
【図１】
2004068902.tif 000003
【図２】
2004068902.tif 000004
【図３】
2004068902.tif 000005
【図４】
2004068902.tif 000006
【図５】
2004068902.tif 000007
【図６】
2004068902.tif 000008
【図７】
2004068902.tif 000009
【図８】
2004068902.tif 000010
【図９】
2004068902.tif 000011
【図１０】
2004068902.tif 000012
【図１１】
2004068902.tif 000013
【図１２】
2004068902.tif 000014